(57)【要約】【課題】  アンテナ取付金具の一部を変位可能に構成することで、アンテナ等を鉄塔主材に取り付ける際に、現地でアンテナ等を容易に取り付けることができ、現地でアンテナ等の角度を容易に調整することができる。【解決手段】アンテナ等の長尺の被支持部材３を、複数箇所で固定する支持棒４と、鉄塔１の鉄塔主材２の横断面の表裏側から挟むように形成した表側挟持部材８と、裏側挟持部材９とを有する下側支持金具本体５と、鉄塔１の鉄塔主材の横断面の表裏側からを挟むように形成した表側挟持部材８と裏側挟持部材９とを有する上側支持金具本体６とを備え、支持棒４の下部に固定した下部突片１５を、下側支持金具本体５に揺動自在に取り付け、支持棒４の中間に固定した上部突片１２を、上側支持金具本体６に対して水平方向に自在に変位するように構成した。【選択図】  図２
2006229327.tif 000002
【特許請求の範囲】
【請求項１】
鉄塔（１）にアンテナ等の長尺の被支持部材（３）を変位自在に取り付けるアンテナ取付装置であって、
前記被支持部材（３）を、複数箇所で固定する支持棒（４）と、
前記鉄塔（１）の鉄塔主材（２）の一部を表裏側から挟むように形成した表側挟持部材（８）と裏側挟持部材（９）とを有する下側支持金具本体（５）と、
前記鉄塔（１）の鉄塔主材の一部を表裏側からを挟むように形成した表側挟持部材（８）と裏側挟持部材（９）とを有する上側支持金具本体（６）と、を備え、
前記支持棒（４）の下部に固定した下部突片（１５）を、前記下側支持金具本体（５）に揺動自在に取り付け、
該支持棒（４）の中間に固定した上部突片（１２）を、前記上側支持金具本体（６）に対して水平方向に自在に変位するように構成した、ことを特徴とする鉄塔用アンテナ取付金具。
【請求項２】
前記下側支持金具本体（５）の表側挟持部材（８）は、前記鉄塔（１）の横断面が略Ｌ字形状の鉄塔主材（２）を挟むように細長い板材を横断面が略Ｌ字形状に成るように曲折したものであり、前記裏側挟持部材（９）は細長い板材を横断面が略Ｌ字形状に成るように曲折したものであり、これらの表側挟持部材（８）と裏側挟持部材（９）の両端をそれぞれボルト締結し、
前記上側支持金具本体（６）の表側挟持部材（８）は、前記鉄塔（１）の横断面が略Ｌ字形状の鉄塔主材（２）を挟むように細長い板材を横断面が略Ｌ字形状に成るように曲折したものであり、前記裏側挟持部材（９）は細長い板材を横断面が略Ｌ字形状に成るように曲折したものであり、これらの表側挟持部材（８）と裏側挟持部材（９）の両端をそれぞれボルト締結したものである、ことを特徴とする請求項１の鉄塔用アンテナ取付金具。
【請求項３】
前記表側挟持部材（８）に、ボルト（１０）を締結するために前記鉄塔主材（２）の長手方向に対して直交する方向に長いボルト用長孔（１１）を開けた、ことを特徴とする請求項１の鉄塔用アンテナ取付金具。
【請求項４】
前記裏側表側挟持部材（８）に、ボルト（１０）を締結するために前記鉄塔主材（２）の長手方向に対して直交する方向に長いボルト用長孔（１１）を開けた、ことを特徴とする請求項１の鉄塔用アンテナ取付金具。
【請求項５】
前記支持棒（４）の上部突片（１２）を、前記上側支持金具本体（６）に前記鉄塔（１）から前記被支持部材（３）の方向に向けて開けた第一長孔（１３）に変位自在に取り付けた、ことを特徴とする請求項１の鉄塔用アンテナ取付金具。
【請求項６】
前記支持棒（４）の上部突片（１２）に前記鉄塔（１）から前記被支持部材（３）の方向に向けて開けた長孔に、前記上側支持金具本体（６）を変位自在に取り付けた、ことを特徴とする請求項１の鉄塔用アンテナ取付金具。
【請求項７】
前記支持棒（４）の上部突片（１２）に、前記第一長孔（１３）の長手方向に交差するように第二長孔（１４）を開け、
該第二長孔（１４）に、前記支持棒（４）の上側を変位自在に取り付けた、ことを特徴とする請求項１の鉄塔用アンテナ取付金具。
【請求項８】
前記支持棒（４）に、鳥害対策用の複数本の針金（１６）を設けた、ことを特徴とする請求項１の鉄塔用アンテナ取付金具。
【請求項９】
前記支持棒（４）の上端に鳥害対策用の略Ｖ字形状の針金（１６）を設けた、ことを特徴とする請求項１の鉄塔用アンテナ取付金具。
【請求項１０】
鉄塔（１）にアンテナ等の長尺の被支持部材（３）を変位自在に取り付ける鉄塔用アンテナ取付方法であって、
先ず、前記被支持部材（３）を固定した支持棒（４）に、上側支持金具本体（６）と下側支持金具本体（５）とを固定し、
次に、前記鉄塔（１）の鉄塔主材（２）に、前記上側支持金具本体（６）の表側、裏側挟持部材（９）を挟むように取り付け、更に前記下側支持金具本体（５）の表側、裏側挟持部材（９）を挟むように該鉄塔主材（２）に固定し、
前記上側支持金具本体（６）と前記支持棒（４）の上部突片（１２）との間隔を調整することにより、該支持棒（４）と共に被支持部材（３）の向きを変位させる、ことを特徴とする鉄塔用アンテナ取付方法。
【請求項１１】
前記支持棒（４）と共に被支持部材（３）の向きを、前記下側支持金具本体（５）を中心点として水平方向に３６０度回動するように変位させる、ことを特徴とする請求項１０の鉄塔用アンテナ取付方法。
【発明の詳細な説明】
【技術分野】
【０００１】
本発明は、送電鉄塔を構成する鉄骨のような構成材料が傾斜している鉄塔主材に、携帯電話等の通信用の長尺のアンテナを取り付けることができる鉄塔用アンテナ取付金具及びそのアンテナ取付方法に関するものである。
【背景技術】
【０００２】
電力会社は、送電鉄塔や配電鉄塔を多方面に利用するために、携帯電話等の通信用アンテナや監視カメラ等の設置について計画している。電力会社の鉄塔を利用したサービスを実施するにあたり、鉄塔の傾斜した主材に対してアンテナ等を取り付ける必要がある。鉄塔の主材の傾斜角度は様々である。一方、各通信事業者の要望するアンテナ等の取付角度も様々である。そこで、アンテナ等の取付角度を容易に変位させることができる取付金具の技術が種々提案されている。
【０００３】
例えば、特許文献１の特開２００１−２１１０１２公報「アンテナ取付装置および取付方法」のように、鉄塔などの傾斜した建造物に対してもアンテナを地面に対して垂直に取り付けることができる取付装置や取付方法が提案されている。
【０００４】
このアンテナ取付装置５１は、図７に示すように、傾斜した鉄塔主材５２のような建造物に対してアンテナ５３を地面に対して垂直に取り付けるものである。この取付装置は、一端に建造物に固定される支持アーム取付金具５４を有し、略Ｌ字形状に曲がった他端にアンテナ５３を固定する変形Ｕボルトのようなアンテナ固定金具５５を有するアンテナ支持アーム５６と、アンテナ支持アーム５６の固定部を回動可能及び移動可能に仮固定した後、固定する支持アーム取付金具５４と、アンテナ支持アーム５６のアンテナ固定金具５５にアンテナ５３を回動可能及び移動可能に仮固定した後、固定するアンテナ固定金具５５とを備えたものである。アンテナ固定金具５５を有するアンテナ支持アーム５６を地面に対して水平に取り付け固定するとともに、アンテナ固定金具５５に取り付けられたアンテナ５３を地面に対して垂直に取り付け固定するようにしたものである。
【特許文献１】特開２００１−２１１０１２公報
【発明の開示】
【発明が解決しようとする課題】
【０００５】
しかし、特許文献１のアンテナ取付装置５１は、平坦な板材からなる支持アーム取付金具５４を用いてこの鉄塔主材５２に固定する装置であるため、鉄塔主材５２との接触面積が狭いので摩擦抵抗が弱く、アンテナ５３の自重と強風などによりそのアンテナ５３が位置ズレを起こしやすいという問題を有していた。
【０００６】
また、このアンテナ取付装置５１は、電波の指向性の向上を図るため、鉄塔主材５２の傾斜角に影響されることなくアンテナ等の取付角度の水平方向、垂直方向を任意に可変可能な設備とするために、その取付装置の金物の部品点数が多くなるので、鉄塔のような高所における作業時間が長くなるという問題を有していた。
【０００７】
本発明は、かかる問題点を解決するために創案されたものである。すなわち、本発明の目的は、アンテナ取付金具の一部を変位可能に構成することで、アンテナ等を鉄塔主材に取り付ける際に、現地でアンテナ等を容易に取り付けることができ、現地でアンテナ等の角度を容易に調整することができる鉄塔用アンテナ取付金具及びそのアンテナ取付方法を提供することにある。
【課題を解決するための手段】
【０００８】
本発明のアンテナ取付装置によれば、鉄塔（１）にアンテナ等の長尺の被支持部材（３）を変位自在に取り付けるアンテナ取付装置であって、前記被支持部材（３）を、複数箇所で固定する支持棒（４）と、前記鉄塔（１）の鉄塔主材（２）の横断面の表裏側から挟むように形成した表側挟持部材（８）と、裏側挟持部材（９）とを有する下側支持金具本体（５）と、前記鉄塔（１）の鉄塔主材の横断面の表裏側からを挟むように形成した表側挟持部材（８）と、裏側挟持部材（９）とを有する上側支持金具本体（６）と、を備え、前記支持棒（４）の下部に固定した下部突片（１５）を、前記下側支持金具本体（５）に揺動自在に取り付け、該支持棒（４）の中間に固定した上部突片（１２）を、前記上側支持金具本体（６）に対して水平方向に自在に変位するように構成した、ことを特徴とする鉄塔用アンテナ取付金具が提供される。
【０００９】
前記下側支持金具本体（５）の表側挟持部材（８）は、前記鉄塔（１）の横断面が略Ｌ字形状の鉄塔主材（２）を挟むように細長い板材を横断面が略Ｌ字形状に成るように曲折したものであり、前記裏側挟持部材（９）は細長い板材を横断面が略Ｌ字形状に成るように曲折したものであり、これらの表側挟持部材（８）と裏側挟持部材（９）の両端をそれぞれボルト締結し、前記上側支持金具本体（６）の表側挟持部材（８）は、前記鉄塔（１）の横断面が略Ｌ字形状の鉄塔主材（２）を挟むように細長い板材を横断面が略Ｌ字形状に成るように曲折したものであり、前記裏側挟持部材（９）は細長い板材を横断面が略Ｌ字形状に成るように曲折したものであり、これらの表側挟持部材（８）と裏側挟持部材（９）の両端をそれぞれボルト締結したものである
前記表側挟持部材（８）に、ボルト（１０）を締結するために前記鉄塔主材（２）の長手方向に対して直交する方向に長いボルト用長孔（１１）を開けたものである。
前記裏側表側挟持部材（８）に、ボルト（１０）を締結するために前記鉄塔主材（２）の長手方向に対して直交する方向に長いボルト用長孔（１１）を開けたものである。
【００１０】
前記支持棒（４）の上部突片（１２）を、前記上側支持金具本体（６）に前記鉄塔（１）から前記被支持部材（３）の方向に向けて開けた第一長孔（１３）に変位自在に取り付けた。
前記支持棒（４）の上部突片（１２）に前記鉄塔（１）から前記被支持部材（３）の方向に向けて開けた長孔に、前記上側支持金具本体（６）を変位自在に取り付けた。
前記支持棒（４）の上部突片（１２）に、前記第一長孔（１３）の長手方向に交差するように第二長孔（１４）を開け、該第二長孔（１４）に、前記支持棒（４）の上側を変位自在に取り付けた。
【００１１】
前記支持棒（４）に、鳥害対策用の複数本の針金（１６）を設けた。前記支持棒（４）の上端に鳥害対策用の略Ｖ字形状の針金（１６）を設けた。
【００１２】
本発明のアンテナ取付方法によれば、鉄塔（１）にアンテナ等の長尺の被支持部材（３）を変位自在に取り付ける鉄塔用アンテナ取付方法であって、先ず、前記被支持部材（３）を固定した支持棒（４）に、上側支持金具本体（６）と下側支持金具本体（５）とを固定し、次に、前記鉄塔（１）の鉄塔主材（２）に、前記上側支持金具本体（６）の表側、裏側挟持部材（９）を挟むように取り付け、更に前記下側支持金具本体（５）の表側、裏側挟持部材（９）を挟むように該鉄塔主材（２）に固定し、前記上側支持金具本体（６）と前記支持棒（４）の上部突片（１２）との間隔を調整することにより、該支持棒（４）と共に被支持部材（３）の向きを変位させる、ことを特徴とする鉄塔用アンテナ取付方法が提供される。
【００１３】
前記支持棒（４）と共に被支持部材（３）の向きを、前記下側支持金具本体（５）を中心点として水平方向に３６０度回動するように変位させる、ことができる。
【発明の効果】
【００１４】
上述したように、本発明のアンテナ取付装置では、アンテナ等の長尺の被支持部材（３）を鉄塔（１）の鉄塔主材（２）における取付角度を容易に変えることができる。この鉄塔（１）に取り付けたアンテナ等の長尺の被支持部材（３）は、支持棒（４）の上部突片（１２）を、上側支持金具本体（６）に向けて開けた第一長孔（１３）の範囲内で変位させることができるので、鉄塔主材（２）の傾斜角に影響されることなくアンテナ等の取付角度を水平方向において任意に可変することができ、電波の指向性の向上を図ることができる。
【００１５】
表側挟持部材（８）又は裏側挟持部材（９）には、ボルト（１０）を締結するために鉄塔主材（２）の長手方向に対して直交する方向にボルト用長孔（１１）を開けているので、横断面がＬ型プレートになる鉄塔主材（２）は勿論のこと、様々な形状や大きさの鉄塔主材（２）にこの挟持部材（８，９）を取り付けることができる。更に、この表側挟持部材（８）又は裏側表側挟持部材（８）は、鉄塔主材（２）との接触面積が広いために摩擦抵抗が高くなり、アンテナ等の被支持部材（３）の自重や強風などがあっても位置ズレがおきにくい。
【００１６】
支持棒（４）に、鳥害対策用の複数本の針金（１６）を設け、又は支持棒（４）の上端に略Ｖ字形状の針金（１６）を設けることで、鳥類がこの支持棒（４）自体又はその周囲のアンテナ取付金具に止まることができず、糞による被害を防止することができる。
【００１７】
また、本発明のアンテナ取付方法では、取付金具の部品点数が少ないので、鉄塔（１）という高所での取付作業を容易に実施できるだけでなく、短時間で作業を終了させることができる。
【発明を実施するための最良の形態】
【００１８】
本発明は、アンテナ等の被支持部材を複数箇所で固定する支持棒と、この支持棒を支持するために、鉄塔の鉄塔主材を挟むように形成した挟持部材を有する下側支持金具本体と、同じく鉄塔の鉄塔主材を挟むように形成した挟持部材を有する上側支持金具本体とを備えたアンテナ取付金具である。このアンテナ取付金具によりアンテナ等の長尺の被支持部材を鉄塔に取付角度を自在に変位させることができる。
【００１９】
以下、本発明の好ましい実施の形態を図面を参照して説明する。
図１は本発明の鉄塔用アンテナ取付金具を用いてアンテナを取り付けた状態の送電鉄塔全体構成図である。
本発明の鉄塔用アンテナ取付金具は、鉄塔１の傾斜した鉄塔主材２にアンテナ等の長尺の被支持部材３をその角度が自在になるように取り付けるものである。例えば、携帯電話の通信用のアンテナについて専用支柱を立てることなく、既存の送電や配電用の鉄塔１を構成する鉄塔主材２を利用するものである。鉄塔１の形式は、図示例の四角鉄塔に限定されず、方形鉄塔、えぼし形鉄塔又は門柱鉄塔に取り付けることができる。鉄塔１の構成材料は断面がＬ字形状の山形鉄鋼が望ましいが、これに限定されるものではない。また、鉄塔１の利用目的も送電用や配電用に限定されず、様々な用途の鉄塔１に本発明の鉄塔用アンテナ取付金具を取り付けることができる。
【実施例１】
【００２０】
図２は実施例１の鉄塔用アンテナ取付金具を用いてアンテナを鉄塔主材に取り付けた状態を示すものであり、（ａ）はアンテナ取付金具の正面図、（ｂ）はアンテナ取付金具の側面図、（ｃ）は上側支持金具本体の拡大平面図、（ｄ）は下側支持金具本体の拡大平面図である。図３は実施例１の上側支持金具本体を示すものであり、（ａ）は側面図、（ｂ）は平面図である。図４は実施例１の下側支持金具本体を示すものであり、（ａ）は側面図、（ｂ）は平面図である。
実施例１のアンテナ取付装置は、アンテナ等の長尺の被支持部材３を、２箇所で固定する支持棒４と、鉄塔１の鉄塔主材２の一部を表裏側から挟むように形成した下側支持金具本体５と、同じく鉄塔主材２の一部を表裏側から挟むように形成した上側支持金具本体６とを備えたものである。支持棒４はアンテナ等の長尺の被支持部材３を２箇所で固定する棒状の部材である。図示例では被支持部材３の上下２箇所を固定金具７で固定しているが、この固定金具７は２個に限定されず、被支持部材３の長さに応じて３個又は４個と増やすことは勿論可能である。
【００２１】
上側支持金具本体６は、図３に示すように、鉄塔１の横断面が略Ｌ字形状の鉄塔主材２を挟むように細長い板材を横断面が略Ｌ字形状に成るように曲折した表側挟持部材８を有している。この表側挟持部材８と組み合わせる裏側挟持部材９は、細長い板材を横断面が略Ｌ字形状に成るように曲折したものである。これらの表側挟持部材８と裏側挟持部材９は、その両端をそれぞれボルト締結することにより、横断面がＬ型プレートになる鉄塔主材２に取り付けることができるようになっている。裏側挟持部材９に、ボルト１０を締結するために鉄塔主材２の長手方向に対して直交方向のボルト用長孔１１を開けている。このボルト用長孔１１により、鉄塔主材２の様々な大きさや厚みに対応することができるようになっている。
【００２２】
下側支持金具本体５も、図４に示すように、鉄塔１の横断面が略Ｌ字形状の鉄塔主材２を挟むように細長い板材を横断面が略Ｌ字形状に成るように曲折した表側挟持部材８を有している。同様に、この表側挟持部材８と組み合わせる裏側挟持部材９も、細長い板材を横断面が略Ｌ字形状に成るように曲折したものである。これらの表側挟持部材８と裏側挟持部材９は、その両端をそれぞれボルト締結することにより、横断面がＬ型プレートになる鉄塔主材２に取り付けることができるようになっている。表側挟持部材８に、ボルト１０を締結するために鉄塔主材２の長手方向に対して直交方向のボルト用長孔１１を開けている。
【００２３】
この表側挟持部材８又は裏側挟持部材９は、鉄塔主材２との接触面積が広いために摩擦抵抗が高くなり、アンテナ等の被支持部材３の自重や強風などがあっても位置ズレがおきにくい。図示例は、表側、裏側挟持部材８，９は、図３と図４に示すように、鉄塔１の横断面が略Ｌ字形状の鉄塔主材２を表裏側から挟むように細長い板材を横断面が略Ｌ字形状に成るように曲折したものを示しているが、これは鉄塔主材２の構造材料の横断面形状に適合する形状であれば、この略Ｌ字形状に限定されない。例えば、横断面が円形状の鉄塔主材２では挟持部材は半円形状に形成する。但し、鉄塔主材２との接触面積を広くして摩擦抵抗が高くなる形状が望ましい。
【００２４】
支持棒４の上部突片１２は、図２（ａ）に示すように、上側支持金具本体６に鉄塔１から被支持部材３の方向に向けて開けた第一長孔１３に変位自在に取り付けた。例えば、この第一長孔１３への取り付けは一般的なボルト・ナット締結する。これにより、上側支持金具本体６を、下側支持金具本体５を中心点として第一長孔１３の間隔で矢視方向を変位させることができる。なお、支持棒４の変位範囲、即ち変位角度は、上側支持金具本体６と下側支持金具本体５との距離に応じて容易に変化させることができる。例えば、上側支持金具本体６と下側支持金具本体５との距離が長くなれば、支持棒４の変位範囲（変位角度）は小さい。逆に、上側支持金具本体６と下側支持金具本体５との距離が近づければ、支持棒４の変位範囲（変位角度）を大きくすることができる。但し、上側支持金具本体６と下側支持金具本体５との距離が近すぎると、支持棒４を支えるという、上側下側支持金具本体５本来の機能を損なうことがあるので、図２（ａ）に示すように、上側支持金具本体６は支持棒４の半分の長さより短い間隔ならないことが望ましい。
【００２５】
逆に、支持棒４の上部突片１２側に、鉄塔１から被支持部材３の方向に向けて長孔（図示していない）を開けることも可能である。このような長孔を構成することで、上側支持金具本体６を鉄塔１に変位自在にすることができる。
【００２６】
支持棒４の上部突片１２は、図２（ｂ）に示すように、第一長孔１３の長手方向に交差するように開けた第二長孔１４に変位自在に取り付け、この支持棒４の上側が、下側支持金具本体５（下部突片１５）を中心として３６０度回動するように構成した。これにより支持棒４に取り付けた被支持部材３（アンテナ）の向きを水平方向において任意に可変することができ、電波の指向性の向上を図ることができる。
【００２７】
図５は実施例１の鉄塔用アンテナ取付金具を用いてアンテナを送電鉄塔に取り付け、かつ支持棒を傾けた状態を示すものであり、（ａ）はアンテナ取付金具の正面図、（ｂ）は上側支持金具本体の拡大平面図、（ｃ）は下側支持金具本体の拡大平面図である。
このように上側支持金具本体６の第一長孔１３と、上部突片１２の第二長孔１４により、支持棒４、即ちアンテナ等の長尺の被支持部材３は、電波の指向性の向上を図るため、鉄塔主材２の傾斜角に影響されることなく取付角度を水平方向において任意に可変することができる。
【００２８】
支持棒４の上端に鳥害対策用の略Ｖ字形状の針金１６を設けた。なお、支持棒４には、この支持棒４の周囲に鳥害対策用の複数本の針金１６を設けることも可能である。鳥類がこの支持棒４自体又はその周囲のアンテナ取付金具に止まることができず、糞による被害を防止することができる。
【実施例２】
【００２９】
図６は実施例２の鉄塔用アンテナ取付金具を用いてアンテナを送電鉄塔に取り付けた状態を示すものであり、（ａ）はアンテナ取付金具の側面図、（ｂ）は上側支持金具本体の拡大平面図、（ｃ）は下側支持金具本体の拡大平面図である。
実施例２の鉄塔用アンテナ取付金具は、図６（ａ）に示すように、支持棒４の上部突片１２と上側支持金具本体６との間を複数本の連結片２１，２２，２３で連結したものである。図指例のように、上側支持金具本体６に第一連結片２１を溶接等で取り付け、この第一連結片２１の先端と、第二連結片２２をボルト・ナット等で着脱自在に連結し、この第二連結片２２の先端に更に、上部突片１２から回動自在に取り付けた第三連結片２３の端部に着脱自在に連結したものである。実施例２ではこの第二連結片２２の長さを可変することで、上側支持金具本体６を変位させるようになっている。
【００３０】
なお、本発明は上述した発明の実施の形態に限定されず、アンテナ取付金具の一部を変位可能に構成することで、アンテナ等を鉄塔主材２に取り付ける際に、現地でアンテナ等を容易に取り付けることができ、現地でアンテナ等の角度を容易に調整することができる構成であれば、図示したような構成に限定されず、本発明の要旨を逸脱しない範囲で種々変更できることは勿論である。
【産業上の利用可能性】
【００３１】
本発明の鉄塔用アンテナ取付金具及びそのアンテナ取付方法は、携帯電話の通信用アンテナを送電鉄塔等の鉄塔に取り付けるときに利用できるだけでなく、傾斜した構造材料に対して向きを可変に取り付ける必要があるもの、例えば監視用のテレビカメラ、スピーカ、衛星放送用アンテナ等の取付といった様々な用途に利用することができる。
【図面の簡単な説明】
【００３２】
【図１】本発明の鉄塔用アンテナ取付金具を用いてアンテナを取り付けた状態の送電鉄塔全体構成図である。
【図２】実施例１の鉄塔用アンテナ取付金具を用いてアンテナを鉄塔主材に取り付けた状態を示すものであり、（ａ）はアンテナ取付金具の正面図、（ｂ）はアンテナ取付金具の側面図、（ｃ）は上側支持金具本体の拡大平面図、（ｄ）は下側支持金具本体の拡大平面図である。
【図３】実施例１の上側支持金具本体を示すものであり、（ａ）は側面図、（ｂ）は平面図である。
【図４】実施例１の下側支持金具本体を示すものであり、（ａ）は側面図、（ｂ）は平面図である。
【図５】実施例１の鉄塔用アンテナ取付金具を用いてアンテナを送電鉄塔に取り付け、かつ支持棒を傾けた状態を示すものであり、（ａ）はアンテナ取付金具の正面図、（ｂ）は上側支持金具本体の拡大平面図、（ｃ）は下側支持金具本体の拡大平面図である。
【図６】実施例２の鉄塔用アンテナ取付金具を用いてアンテナを送電鉄塔に取り付けた状態を示すものであり、（ａ）はアンテナ取付金具の側面図、（ｂ）は上側支持金具本体の拡大平面図、（ｃ）は下側支持金具本体の拡大平面図である。
【図７】従来のアンテナ取付金具を用いてアンテナを送電鉄塔に取り付けた状態の説明図である。
【符号の説明】
【００３３】
１  鉄塔
２  鉄塔主材
３  被支持部材（アンテナ）
４  支持棒
５  下側支持金具本体
６  上側支持金具本体
８  表側挟持部材
９  裏側挟持部材
１０  ボルト
１１  ボルト用長孔
１２  上部突片
１３  第一長孔
１４  第二長孔
１５  下部突片
１６  鳥害対策用針金
【図１】
2006229327.tif 000003
【図２】
2006229327.tif 000004
【図３】
2006229327.tif 000005
【図４】
2006229327.tif 000006
【図５】
2006229327.tif 000007
【図６】
2006229327.tif 000008
【図７】
2006229327.tif 000009